(57)【特許請求の範囲】
【請求項１】
二次電池の充放電サイクルを実行するＮ台の電源装置（Ｎは、２以上の整数）と、
前記Ｎ台の電源装置に対して前記充放電サイクルに関する充放電指示を出力し、前記Ｎ台の電源装置に前記充放電指示に基づく前記充放電サイクルを実行させる統括制御部と、
を備えた充放電電源システムであって、
前記統括制御部は、
前記充放電サイクルの開始時間を遅らせるための開始シフト量が設定されており、
計算対象電源台数をＭ（Ｍは、１以上Ｎ以下の整数）とし、前記開始シフト量に応じて前記充放電サイクルを実行させた場合における単位時間当たりの合計電力を計算する第１処理と、
前記合計電力の最大値である予想最大使用電力が予め指示された目標最大使用電力を超える場合に、前記開始シフト量を増加させる第２処理と、
前記予想最大使用電力が前記目標最大使用電力以下の場合に、前記開始シフト量に応じた前記充放電指示を出力する第３処理とを行い、
前記第２処理の後に前記Ｍを初期値に設定して前記第１処理を行い、その後に
前記予想最大使用電力が前記目標最大使用電力以下の場合、前記Ｍを前記初期値から１ずつ段階的に増加させて前記第１処理を行い、
前記ＭがＮに達した場合に、前記Ｎ台の電源装置に対して前記第３処理を行う
ことを特徴とする充放電電源システム。
【請求項２】
二次電池の充放電サイクルを実行するＮ台の電源装置（Ｎは、２以上の整数）と、
前記Ｎ台の電源装置に対して前記充放電サイクルに関する充放電指示を出力し、前記Ｎ台の電源装置に前記充放電指示に基づく前記充放電サイクルを実行させる統括制御部と、
を備えた充放電電源システムであって、
前記統括制御部は、
前記充放電サイクルの開始時間を遅らせるための開始シフト量が設定されており、
計算対象電源台数をＭ（Ｍは、１以上Ｎ以下の整数）とし、前記開始シフト量に応じて前記充放電サイクルを実行させた場合における単位時間当たりの合計電力を計算する第１処理と、
前記合計電力の最大値である予想最大使用電力が予め指示された目標最大使用電力を超える場合に、前記開始シフト量を増加させる第２処理と、
前記予想最大使用電力が前記目標最大使用電力以下の場合に、前記開始シフト量に応じた前記充放電指示を出力する第３処理とを行い、
前記予想最大使用電力が前記目標最大使用電力以下の場合、前記Ｍ台目の電源装置に対して前記第３処理を行い、
前記第３処理の後、前記ＭがＮよりも小さいときは前記ＭをＭ＋１に増加させるとともに前記開始シフト量を初期値に設定して前記第１処理を行う
ことを特徴とする充放電電源システム。
【請求項３】
二次電池の充放電サイクルを実行するＮ台の電源装置（Ｎは、２以上の整数）と、
前記Ｎ台の電源装置に対して前記充放電サイクルに関する充放電指示を出力し、前記Ｎ台の電源装置に前記充放電指示に基づく前記充放電サイクルを実行させる統括制御部と、
を備えた充放電電源システムであって、
前記統括制御部は、
前記充放電サイクルの開始時間を遅らせるための開始シフト量が設定されており、
計算対象電源台数をＭ（Ｍは、１以上Ｎ以下の整数）とし、前記開始シフト量に応じて前記充放電サイクルを実行させた場合における単位時間当たりの合計電力を計算する第１処理と、
前記合計電力の最大値である予想最大使用電力が予め指示された目標最大使用電力を超える場合に、前記開始シフト量を増加させる第２処理と、
前記予想最大使用電力が前記目標最大使用電力以下の場合に、前記開始シフト量に応じた前記充放電指示を出力する第３処理とを行い、
前記充放電サイクルは、少なくとも１個の充電サブサイクルと、少なくとも１個の放電サブサイクルとを含むＬ個のサブサイクル（Ｌは、２以上の整数）からなり、
前記統括制御部は、
前記開始シフト量が前記サブサイクル毎に設定されており、
前記第１処理において、前記Ｍ台目の電源装置に実行させる前記充放電サイクルにＫ個目（Ｋは、１以上Ｌ以下の整数）までのサブサイクルが含まれるものとして前記合計電力を計算し、
前記第２処理において、前記Ｋ個目のサブサイクルの前記開始シフト量を増加させ、
前記第３処理において、前記サブサイクル毎に設定された前記開始シフト量に応じて前記充放電指示を出力する
ことを特徴とする充放電電源システム。
【請求項４】
前記統括制御部は、
前記予想最大使用電力が前記目標最大使用電力を超える場合に、前記開始シフト量と前記充放電サイクルの時間との関係に応じて、前記開始シフト量の単位量である開始シフト単位を変化させる
ことを特徴とする請求項１〜３のいずれか一項に記載の充放電電源システム。
【請求項５】
前記電源装置は、
ＡＣ／ＤＣ電源部と、
複数のＤＣ／ＤＣ電源部と、
前記統括制御部と通信を行い、前記充放電指示に基づいて前記ＡＣ／ＤＣ電源部および前記複数のＤＣ／ＤＣ電源部を制御する制御部と、を備えた
ことを特徴とする請求項１〜４のいずれか一項に記載の充放電電源システム。
【発明の詳細な説明】
【技術分野】
【０００１】
本発明は、充放電電源システムに関する。
【背景技術】
【０００２】
リチウムイオン充電池やニッケル水素充電池等の二次電池は、化石燃料の使用低減効果のあるハイブリッド自動車や電気自動車、および災害時の非常用電源としての住宅用蓄電池等、広範囲かつ大量に使用されており、今後ますます需要の拡大が想定される。
【０００３】
二次電池の充放電試験を行う電源装置としては、例えば、特許文献１に記載のものや特許文献２に記載のものが知られている。これらの電源装置は、１つのＡＣ／ＤＣ電源部と複数のＤＣ／ＤＣ電源部とを備え、ＤＣ／ＤＣ電源部に接続された複数の二次電池に対して充電と放電とを組み合わせた充放電サイクルを実行する。
【０００４】
特に、特許文献２に記載の電源装置では、ＡＣ／ＤＣ電源部を双方向ＡＣ／ＤＣコンバータで構成し、ＤＣ／ＤＣ電源部を双方向ＤＣ／ＤＣコンバータで構成することで、二次電池の放電電力（回生電力）の一部を二次電池の充電電力として利用している。さらに、複数のＤＣ／ＤＣ電源部に異なるタイミングで充放電サイクルを開始させて、ＡＣ／ＤＣ電源部に供給される回生電力を最小化することで、回生に伴うＡＣ／ＤＣ電源部の電力損失を低減している。
【０００５】
また近年では、複数の電源装置を備えた、大量の二次電池の充放電試験を効率良く行うことができる充放電電源システムが望まれている。充放電電源システムでは、充放電試験を行う二次電池の数量が数十万個になるため、充電に必要な電力はメガＶＡになり、電気料金も数億円になる。このため、現行の充放電電源システムでは、電源装置の充放電効率の改善に加え、二次電池の放電電力の一部を充電電力として利用することで、系統の使用電力量の低減を図っている。
【先行技術文献】
【特許文献】
【０００６】
【特許文献１】特開２０１２−２４４７４２号公報
【特許文献２】特開２０１２−１５４７９３号公報
【発明の概要】
【発明が解決しようとする課題】
【０００７】
しかしながら、電気料金は、使用電力量と、最大使用電力に依存した契約電力とによって決まるため、使用電力量の低減に加えて最大使用電力の低減が課題となる。
【０００８】
例えば、工場用の特別高圧電力契約の場合、電気料金は、
電気料金＝基本料金＋電力量料金＋その他課金
となっている。また、基本料金および電力量料金は、それぞれ、
基本料金＝料金単価×契約電力×力率係数
電力量料金＝料金単価×使用電力量±調整額
となっている。
【０００９】
ここで、基本料金に含まれる契約電力は、過去１年間の各月の最大需要電力（最大使用電力）のうち最も大きい値となるため、最大需要電力（最大使用電力）を抑えることで、契約電力を低減することが可能となる。特に、使用する電力の平均電力は小さいが最大使用電力が大きい場合、最大使用電力を低減することで、電気料金を低減する効果が大きいことが見込まれる。
【００１０】
本発明は上記事情に鑑みてなされたものであって、その課題とするところは、最大使用電力を一定値以下に抑えることが可能な充放電電源システムを提供することにある。
【課題を解決するための手段】
【００１１】
上記課題を解決するために、本発明に係る充放電電源システムは、
二次電池の充放電サイクルを実行するＮ台の電源装置（Ｎは、２以上の整数）と、
Ｎ台の電源装置に対して充放電サイクルに関する充放電指示を出力し、Ｎ台の電源装置に充放電指示に基づく充放電サイクルを実行させる統括制御部と、
を備えた充放電電源システムであって、
統括制御部は、
充放電サイクルの開始時間を遅らせるための開始シフト量が設定されており、
計算対象電源台数をＭ（Ｍは、１以上Ｎ以下の整数）とし、開始シフト量に応じて充放電サイクルを実行させた場合における単位時間当たりの合計電力を計算する第１処理と、
合計電力の最大値である予想最大使用電力が予め指示された目標最大使用電力を超える場合に、開始シフト量を増加させる第２処理と、
予想最大使用電力が目標最大使用電力以下の場合に、開始シフト量に応じた充放電指示を出力する第３処理とを行い、
第２処理の後にＭを初期値に設定して第１処理を行い、その後に
予想最大使用電力が目標最大使用電力以下の場合、Ｍを初期値から１ずつ段階的に増加させて第１処理を行い、
ＭがＮに達した場合に、Ｎ台の電源装置に対して第３処理を行うことを特徴とする。
【００１２】
この構成によれば、統括制御部は、予想最大使用電力が目標最大使用電力以下になるように、Ｎ台の電源装置に対して開始シフト量に応じた充放電指示を出力するので、最大使用電力を一定値（目標最大使用電力）以下に抑えることができる。さらに、この構成によれば、統括制御部は、Ｎ台の電源装置に対して一定の開始シフト量で充放電指示を出力するので、充放電試験時間（Ｎ台の電源装置が充放電サイクルを実行する時間）が長くなるものの、統括制御部で行う処理を簡略化することができる。
【００１５】
上記課題を解決するために、本発明の別の実施形態に係る充放電電源システムは、
二次電池の充放電サイクルを実行するＮ台の電源装置（Ｎは、２以上の整数）と、
Ｎ台の電源装置に対して充放電サイクルに関する充放電指示を出力し、Ｎ台の電源装置に充放電指示に基づく充放電サイクルを実行させる統括制御部と、
を備えた充放電電源システムであって、
統括制御部は、
充放電サイクルの開始時間を遅らせるための開始シフト量が設定されており、
計算対象電源台数をＭ（Ｍは、１以上Ｎ以下の整数）とし、開始シフト量に応じて充放電サイクルを実行させた場合における単位時間当たりの合計電力を計算する第１処理と、
合計電力の最大値である予想最大使用電力が予め指示された目標最大使用電力を超える場合に、開始シフト量を増加させる第２処理と、
予想最大使用電力が目標最大使用電力以下の場合に、開始シフト量に応じた充放電指示を出力する第３処理とを行い、
予想最大使用電力が目標最大使用電力以下の場合、Ｍ台目の電源装置に対して第３処理を行い、
第３処理の後、ＭがＮよりも小さいときはＭをＭ＋１に増加させるとともに開始シフト量を初期値に設定して第１処理を行うよう構成できる。
【００１６】
この構成によれば、統括制御部は、電源装置毎に設定した開始シフト量で充放電指示を順次出力するので、一定の開始シフト量で充放電指示を出力する場合と比べて、充放電試験時間を短縮することができる。
【００１７】
上記課題を解決するために、本発明のさらに別の実施形態に係る充放電電源システムは、
二次電池の充放電サイクルを実行するＮ台の電源装置（Ｎは、２以上の整数）と、
Ｎ台の電源装置に対して充放電サイクルに関する充放電指示を出力し、Ｎ台の電源装置に充放電指示に基づく充放電サイクルを実行させる統括制御部と、
を備えた充放電電源システムであって、
統括制御部は、
充放電サイクルの開始時間を遅らせるための開始シフト量が設定されており、
計算対象電源台数をＭ（Ｍは、１以上Ｎ以下の整数）とし、開始シフト量に応じて充放電サイクルを実行させた場合における単位時間当たりの合計電力を計算する第１処理と、
合計電力の最大値である予想最大使用電力が予め指示された目標最大使用電力を超える場合に、開始シフト量を増加させる第２処理と、
予想最大使用電力が目標最大使用電力以下の場合に、開始シフト量に応じた充放電指示を出力する第３処理とを行い、
充放電サイクルは、少なくとも１個の充電サブサイクルと、少なくとも１個の放電サブサイクルとを含むＬ個のサブサイクル（Ｌは、２以上の整数）からなり、
統括制御部は、
開始シフト量がサブサイクル毎に設定されており、
第１処理において、Ｍ台目の電源装置に実行させる充放電サイクルにＫ個目（Ｋは、１以上Ｌ以下の整数）までのサブサイクルが含まれるものとして合計電力を計算し、
第２処理において、Ｋ個目のサブサイクルの開始シフト量を増加させ、
第３処理において、サブサイクル毎に設定された開始シフト量に応じて充放電指示を出力するよう構成できる。
【００１８】
この構成によれば、統括制御部は、Ｎ台の電源装置に対してサブサイクル毎に設定した開始シフト量で充放電指示を出力するので、充放電サイクル毎に設定した開始シフト量で充放電指示を出力する場合と比べて、充放電試験時間を短縮することができる。
【００１９】
上記充放電電源システムでは、
統括制御部は、
予想最大使用電力が目標最大使用電力を超える場合に、開始シフト量と充放電サイクルの時間との関係に応じて、開始シフト量の単位量である開始シフト単位を変化させるよう構成できる。
【００２０】
この構成によれば、開始シフト単位を変化させることにより、最大使用電力の微細な調整が可能になるので、最大使用電力を一定値（目標最大使用電力）以下に抑えつつ、充放電試験時間を大幅に短縮することができる。
【００２１】
上記充放電電源システムでは、
電源装置は、
ＡＣ／ＤＣ電源部と、
複数のＤＣ／ＤＣ電源部と、
統括制御部と通信を行い、充放電指示に基づいてＡＣ／ＤＣ電源部および複数のＤＣ／ＤＣ電源部を制御する制御部と、を備えたことを特徴とする。
【発明の効果】
【００２４】
本発明によれば、最大使用電力を一定値以下に抑えることが可能な充放電電源システムを提供することができる。
【図面の簡単な説明】
【００２５】
【図１】本発明に係る充放電電源システムの概略構成図である。
【図２】本発明における統括制御部の概略構成図である。
【図３】本発明の第１および第２実施形態における充放電サイクルの模式図である。
【図４】本発明の第１実施形態において、開始シフト量を１とした場合における使用電力の時間推移を示す図および表である。
【図５】本発明の第１実施形態において、開始シフト量を２とした場合における使用電力の時間推移を示す図および表である。
【図６】本発明の第１実施形態における統括制御部の制御フローチャートである。
【図７】図６に示す制御フローチャートの続きである。
【図８】本発明の第２実施形態における使用電力の時間推移を示す図および表である。
【図９】本発明の第２実施形態における統括制御部の制御フローチャートである。
【図１０】図９に示す制御フローチャートの続きである。
【図１１】本発明の第３実施形態における充放電サイクルの模式図である。
【図１２】本発明の第３実施形態における使用電力の時間推移を示す図および表である。
【図１３】本発明の第３実施形態における統括制御部の制御フローチャートである。
【図１４】図１３に示す制御フローチャートの続きである。
【図１５】本発明の第４実施形態における充放電サイクルの模式図である。
【図１６】本発明の第４実施形態における使用電力の時間推移を示す図および表である。
【図１７】本発明の第４実施形態における統括制御部の制御フローチャートである。
【図１８】図１７に示す制御フローチャートの続きである。
【発明を実施するための形態】
【００２６】
以下、添付図面を参照して、本発明に係る充放電電源システムおよび統括制御方法の実施形態について説明する。
【００２７】
［第１実施形態］
（充放電電源システム）
図１に、本発明の第１実施形態に係る充放電電源システム３を示す。充放電電源システム３は、複数の二次電池４の充放電試験を行うものである。充放電電源システム３には、電力会社の商用電源１から供給された交流電圧（例えば、６６００［Ｖ］）が高圧受電設備２で、例えば２００［Ｖ］の交流電圧に降圧されて入力される。充放電電源システム３は、主に、この交流電圧から生成した直流電圧（例えば、５［Ｖ］）によって、複数の二次電池４の充電を行う。二次電池４は、例えば、リチウムイオン充電池やニッケル水素充電池である。
【００２８】
充放電電源システム３は、二次電池４の充放電サイクルを実行するＮ台の電源装置３０（Ｎは、２以上の整数）と、Ｎ台の電源装置３０に対して充放電サイクルに関する充放電指示を出力し、Ｎ台の電源装置３０に充放電指示に基づく充放電サイクルを実行させる統括制御部１０とを備えている。
【００２９】
電源装置３０は、１つのＡＣ／ＤＣ電源部３１と、ＡＣ／ＤＣ電源部３１に接続された複数のＤＣ／ＤＣ電源部３２と、統括制御部１０からの充放電指示を受けてＡＣ／ＤＣ電源部３１およびＤＣ／ＤＣ電源部３２を制御する制御部３３とを備えている。
【００３０】
ＡＣ／ＤＣ電源部３１は、一端が高圧受電設備２に接続され、かつ他端が複数のＤＣ／ＤＣ電源部３２に接続されている。ＡＣ／ＤＣ電源部３１は、制御部３３の制御下で、高圧受電設備２から供給された交流電圧を直流電圧（例えば、３６０［Ｖ］）に変換するＡＣ／ＤＣ変換動作と、ＤＣ／ＤＣ電源部３２から供給された直流電圧を交流電圧（例えば、２００［Ｖ］）に変換するＤＣ／ＡＣ変換動作とを行う双方向ＡＣ／ＤＣコンバータからなる。ＤＣ／ＡＣ変換動作時にＡＣ／ＤＣ電源部３１で生成された交流電圧は、ＡＣ／ＤＣ変換動作を行う別のＡＣ／ＤＣ電源部３１に入力される。すなわち、二次電池４の回生電圧（ＤＣ／ＤＣ電源部３２から供給された直流電圧）の少なくとも一部が、別の二次電池４の充電電圧として使用される。
【００３１】
ＤＣ／ＤＣ電源部３２は、一端がＡＣ／ＤＣ電源部３１に接続され、他端が複数の二次電池４に接続されている。ＤＣ／ＤＣ電源部３２は、制御部３３の制御下で、複数の二次電池４に対して充電動作および放電動作を行う双方向ＤＣ／ＤＣコンバータからなる。充電動作時のＤＣ／ＤＣ電源部３２は、一端に入力された直流電圧を降圧し、他端に接続された複数の二次電池４に出力する。ＤＣ／ＤＣ電源部３２の出力は、二次電池４の駆動にあわせた電圧、電流に制御される。二次電池４がリチウムイオン充電池の場合、出力電圧は約５［Ｖ］以下になるように制御される。放電動作時のＤＣ／ＤＣ電源部３２は、複数の二次電池４の放電電圧を昇圧して一端から出力する。
【００３２】
制御部３３は、統括制御部１０に対して相互に通信を行う通信部と、統括制御部１０からの充放電指示に基づいてＡＣ／ＤＣ電源部３１およびＤＣ／ＤＣ電源部３２を制御する処理部とを備えている。処理部は、電源装置３０の状態に関する情報を生成する機能を有する。電源装置３０の状態に関する情報には、ＡＣ／ＤＣ電源部３１の状態（ＡＣ／ＤＣ変換動作中かＤＣ／ＡＣ変換動作中か）、ＤＣ／ＤＣ電源部３２の状態（充電動作中か放電動作中か）、二次電池４に出力（充電）される電圧値および電流値、二次電池４から入力（放電）される電圧値および電流値、ＡＣ／ＤＣ電源部３１およびＤＣ／ＤＣ電源部３２の異常状態、ＡＣ／ＤＣ電源部３１の一端に入力される電力値（使用電力）等が含まれる。電源装置３０の状態に関する情報は、通信部を介して統括制御部１０に出力される。
【００３３】
図２に示すように、統括制御部１０は、処理部１１と、指示表示部１２と、記憶部１３と、通信部１４とを備えている。統括制御部１０は、コンピュータまたは専用の制御装置で構成される。指示表示部１２は、オペレータによる充放電サイクル開始指示の入力を受け付ける機能と、充放電サイクル実行中に電源装置３０の状態を表示する機能とを有する。記憶部１３には、充放電サイクルに関する情報（例えば、充放電サイクルの時間および使用電力）および電源装置３０の構成に関する情報（例えば、対象チャネル数）等が格納される。通信部１４は、Ｎ台の電源装置３０に対して相互に通信を行う。
【００３４】
処理部１１は、Ｎ台の電源装置３０を統括制御し、最大使用電力が一定値（目標最大使用電力）以下になるように、Ｎ台の電源装置３０に充放電サイクルを実行させる。具体的には、処理部１１は、充放電サイクルの開始時間を遅らせるための開始シフト量が設定されており、（１）計算対象電源台数をＭ（Ｍは、１以上Ｎ以下の整数）とし、当該Ｍ台の電源装置３０に開始シフト量に応じて充放電サイクルを実行させた場合における単位時間当たりの合計電力を計算する第１処理と、（２）合計電力の最大値である予想最大使用電力が予め指示された目標最大使用電力を超える場合に、開始シフト量を増加させる第２処理と、（３）予想最大使用電力が目標最大使用電力以下の場合に、開始シフト量に応じた充放電指示を出力する第３処理とを行うよう構成されている。
【００３５】
より具体的には、本実施形態における処理部１１は、第２処理の後にＭを初期値に設定して再度第１処理を行う。予想最大使用電力が目標最大使用電力以下の場合、処理部１１は、Ｍを初期値から段階的に増加させて繰り返し第１処理を行う。Ｍを段階的に増加させる各段階において、予想最大使用電力が目標最大使用電力を超える場合は、第２処理を行う。そして、ＭがＮに達した場合に、処理部１１は、Ｎ台の電源装置３０に対して第３処理を行う。
【００３６】
すなわち、本実施形態における処理部１１は、Ｎ台の電源装置３０が充放電サイクルを実行した場合における予想最大使用電力が目標最大使用電力以下となるように開始シフト量を設定し、Ｎ台の電源装置３０に対して上記開始シフト量で充放電指示を出力する。したがって、本実施形態に係る充放電電源システム３によれば、Ｎ台の電源装置３０が充放電指示に応じた充放電サイクルを実行した場合に、最大使用電力を一定値（目標最大使用電力）以下に抑えることができ、その結果、電気料金を低減することができる。さらに、本実施形態に係る充放電電源システム３によれば、上述したようにＮ台の電源装置３０に対して一定の開始シフト量で充放電指示を出力するので、統括制御部１０（特に、処理部１１）で行う処理を簡略化することができる。
【００３７】
図３に、充放電サイクルの一例を示す。この充放電サイクルは、電源装置３０に行わせる充放電サイクルを模式化したものであり、横軸に時間をとり、縦軸に電力（使用電力）をとっている。充放電サイクルの単位時間は、充放電サイクルにかかる時間を開始シフト単位に応じて所定数に分割（図３では、８等分）したものである。例えば、開始シフト単位が１／２になると分割数は２倍になる。図３では、時間１〜４および時間７、８は充電サイクルを、時間５、６は放電サイクルを表す。充放電サイクルの単位時間当たりの電力（使用電力）は、単位時間当たりの使用電力の平均値を、単位電力で表したものである。単位電力は、最大使用電力を所定数に分割（図３では、５等分）したものである。図３の場合、時間１〜４では充電電力３、５、５、２、時間５、６では放電電力２、１、時間７、８では充電電力３、５となる。放電電力は回生されるので、放電電力２、１を電力−２、−１と表す。なお、模式化した充放電サイクルは、開始シフト単位が小さいほど、電源装置３０に実行させたい充放電サイクルに近づく。
【００３８】
図３に示す充放電サイクルの場合、単位時間当たりの最大使用電力が５であるため、Ｎ台の電源装置３０に一斉にこの充放電サイクルを実行させたとき、電源装置３０の台数分の最大使用電力（５×Ｎ）が必要になる。一方、単位時間当たりの平均電力は、
平均電力＝（３＋５＋５＋２−２−１＋３＋５）／８＝２．５
と少ないため、開始シフト量を制御することで、最大使用電力を低減する効果が期待できる。なお、充放電サイクルは、試験対象の二次電池４を複数の定電圧または定電流の充電サイクルおよび放電サイクルで試験するため、図３に示すように、充放電サイクル内で電力の時間的変化が生じることが一般的である。
【００３９】
図４は、充放電電源システム３において、電源装置３０の台数を１０台とし、開始シフト量を均一に時間１として、図３に示す充放電サイクルを実行させた場合における使用電力の時間推移を示す図および表である。１０台の電源装置３０に同時に充放電サイクルを実行させた場合（開始シフト量を時間０とした場合）は最大使用電力が５０（＝最大使用電力５×１０）となるが、開始シフト量を均一に時間１とすることで、最大使用電力が２０に抑制されることが分かる。
【００４０】
図５は、充放電電源システム３において、電源装置３０の台数を１０台とし、開始シフト量を均一に時間２として、図３に示す充放電サイクルを実行させた場合における使用電力の時間推移を示す図および表である。図５から、開始シフト量を均一に時間２とすることで、最大使用電力が１１に抑制されることが分かる。
【００４１】
（統括制御方法）
続いて、本発明の第１実施形態に係る統括制御方法について、図６および図７を参照して説明する。
【００４２】
統括制御部１０では、指示表示部１２において充放電サイクル開始指示が入力されると、処理部１１は、統括制御を開始する（Ｓ１）。
【００４３】
統括制御を開始した処理部１１は、充放電サイクル、目標最大使用電力、対象チャネル数、開始シフト単位に関する情報を読み込む（Ｓ２）。充放電サイクルに関する情報は、充放電サイクルの時間と使用電力の関係を示すプロファイルである。目標最大使用電力は、最大使用電力の上限を定めたものである。対象チャネル数は、充放電試験を行う二次電池４の数である。開始シフト単位は、開始シフト量の単位量である。例えば、開始シフト単位を１分とした場合、開始シフト量を１増やすと、充放電サイクルの開始時間を１分遅らせることになり、開始シフト単位を３分とした場合は、開始シフト量を１増やすと、充放電サイクルの開始時間を３分遅らせることになる。本実施形態では、開始シフト単位を充放電サイクルの単位時間に合わせているので、開始シフト量を１増やすと、充放電サイクルの開始時間を時間１だけ遅らせることになる。充放電サイクル、目標最大使用電力、対象チャネル数、開始シフト単位に関する情報は、指示表示部１２において充放電サイクル開始指示とともに入力されるか、または事前に入力されて記憶部１３に格納される。
【００４４】
次いで、処理部１１は、開始シフト量を初期値に設定し（Ｓ３）、計算対象電源台数Ｍ（Ｍは、１以上Ｎ以下の整数）を初期値に設定する（Ｓ４）。本実施形態では、開始シフト量の初期値を１とし、Ｍの初期値を１とする。
【００４５】
次いで、処理部１１は、充放電サイクルの各時間および使用電力と現在設定されている開始シフト量から、Ｍ台の電源装置３０に対して、現在設定されている開始シフト量に応じて充放電サイクルを実行させた場合における各単位時間当たりの合計電力を計算する（Ｓ５）。この合計電力の最大値が予想最大使用電力となる。ステップＳ４の直後は、Ｍが１に設定されているので、処理部１１は、電源装置１台で充放電サイクルを実行させた場合の各単位時間当たりの合計電力を計算する。図３に示す充放電サイクルの場合、Ｍが１なら予想最大使用電力は５になる。ステップＳ５の処理は、本発明の第１処理および第１ステップに相当する。
【００４６】
次いで、処理部１１は、予想最大使用電力が目標最大使用電力以下か否かの判定を行う（Ｓ６）。予想最大使用電力が目標最大使用電力よりも大きい場合（Ｓ６で「いいえ」）、処理部１１は、開始シフト量に１を加算した新たな開始シフト量を設定する（Ｓ７）。ステップＳ７の処理は、本発明の第２処理および第２ステップに相当する。一方、予想最大使用電力が目標最大使用電力以下の場合（Ｓ６で「はい」）、計算対象電源台数Ｍが電源台数Ｎ以上か否かの判定を行う（Ｓ８）。
【００４７】
Ｍが電源台数Ｎに達していない場合（Ｓ８で「いいえ」）、処理部１１は、ＭをＭ＋１に設定し（Ｓ９）、Ｍ＋１台の電源装置３０で充放電サイクルを実行させた場合の各単位時間当たりの合計電力を計算する（Ｓ５）。一方、Ｍが電源台数Ｎに達している場合（Ｓ８で「はい」）、Ｎ台の電源装置３０に対して、現在の開始シフト量に応じた充放電指示を出力し（Ｓ１０）、統括制御を終了する（Ｓ１３）。ステップＳ１０の処理は、本発明の第３処理および第３ステップに相当する。
【００４８】
ここで、開始シフト量に応じた充放電指示を出力する（開始シフト量で充放電指示を出力する）とは、充放電指示を受けた電源装置３０が開始シフト量に応じたタイミングで充放電サイクルを開始するように、電源装置３０に対して充放電指示を出力することをいう。したがって、処理部１１が充放電指示を出力するタイミングを開始シフト量に応じてシフトさせることは勿論、処理部１１が同じタイミングで充放電指示を出力したとしても、充放電指示を受けた電源装置３０が開始シフト量に応じたタイミングで充放電サイクルを開始するのであれば、処理部１１は、開始シフト量に応じた充放電指示を出力したことになる。
【００４９】
ステップＳ７において新たな開始シフト量を設定した処理部１１は、新たな開始シフト量が充放電サイクルの単位時間数（図３の場合は、８）を超えるか否かの判定を行う（Ｓ１１）。新たな開始シフト量が充放電サイクルの単位時間数を超える場合（Ｓ１１で「はい」）、処理部１１は、現在の設定（新たな開始シフト量）では処理不可な旨を指示表示部１２に表示して（Ｓ１２）、統括制御を終了する（Ｓ１３）。一方、新たな開始シフト量が充放電サイクルの単位時間数以下の場合（Ｓ１１で「いいえ」）、処理部１１は、Ｍを１に設定し（Ｓ４）、現在設定されている開始シフト量（新たな開始シフト量）でステップＳ５の処理を行う。
【００５０】
結局、本実施形態に係る統括制御方法によれば、Ｎ台の電源装置３０が充放電サイクルを実行した場合における予想最大使用電力が目標最大使用電力以下となるように開始シフト量を設定し、Ｎ台の電源装置３０に対して上記開始シフト量で充放電指示を出力する。したがって、本実施形態に係る統括制御方法によれば、Ｎ台の電源装置３０が充放電指示に応じた充放電サイクルを実行した場合に、最大使用電力を一定値（目標最大使用電力）以下に抑えることができる。さらに、本実施形態に係る統括制御方法によれば、Ｎ台の電源装置３０に対して一定の開始シフト量で充放電指示を出力するので、統括制御部１０（特に、処理部１１）で行う処理を簡略化することができる。
【００５１】
［第２実施形態］
（充放電電源システム）
次に、本発明の第２実施形態に係る充放電電源システムについて説明する。本実施形態に係る充放電電源システムは、図１に示す充放電電源システム３と同じ構成であるため、説明を一部省略する。
【００５２】
本実施形態では、処理部１１は、第２処理の途中で、予想最大使用電力が目標最大使用電力以下の場合、処理部１１は、Ｍ台目の電源装置３０に対して第３処理を行う。第３処理の後、処理部１１は、計算対象電源台数Ｍが電源台数Ｎよりも小さいときは、ＭをＭ＋１に増加させるとともに開始シフト量を初期値である１に設定して第１処理を行う。
【００５３】
すなわち、本実施形態における処理部１１は、Ｎ台の電源装置３０に対して電源装置３０毎に設定した開始シフト量で充放電指示を順次出力する。したがって、本実施形態に係る充放電電源システム３によれば、Ｎ台の電源装置３０がそれぞれの充放電指示に応じた充放電サイクルを実行した場合における最大使用電力を目標最大使用電力以下にすることができ、さらに、一定の開始シフト量で充放電指示を出力する第１実施形態の場合と比べて、充放電試験時間を短縮することができる。
【００５４】
図８は、本実施形態に係る充放電電源システム３において、電源装置３０の台数を１０台とし、電源装置３０毎に開始シフト量を適宜設定し、図３に示す充放電サイクルを実行させた場合における使用電力の時間推移を示す図および表である。
【００５５】
図８では、目標最大使用電力が１５に設定されている。処理部１１は、１台目の電源装置３０に対して開始シフト量を１に設定して充放電指示を出力し、２台目以降順次単位時間当たりの合計電力を計算する。７台目の電源装置３０に対する合計電力を計算する時点で、時間８の予想最大使用電力が目標最大使用電力１５を超えるため、処理部１１は、開始シフト量を２に設定して単位時間当たりの合計電力を計算し、目標最大使用電力を超えないため７台目の電源装置３０に充放電指示を出力する。同様に、９台目の電源装置３０に対する合計電力を計算する時点で、時間１０、１１の予想最大使用電力が目標最大使用電力１５を超えるため、処理部１１は、開始シフト量を３に設定して９台目の電源装置３０に充放電指示を出力する。
【００５６】
１０台の電源装置３０に同時に充放電サイクルを実行させた場合は最大使用電力が５０（＝最大使用電力５×１０）となるが、図８に示すように、開始シフト量を適宜１、２あるいは３とした場合は、最大使用電力は１５以下に抑制されることが分かる。
【００５７】
（統括制御方法）
続いて、本発明の第２実施形態に係る統括制御方法について、図９および図１０を参照して説明する。
【００５８】
本実施形態の統括制御方法におけるステップＳ２１〜Ｓ２７、Ｓ３１〜Ｓ３３の処理は、第１実施形態の統括制御方法におけるステップＳ１〜Ｓ７、Ｓ１１〜Ｓ１３の処理と大部分が同じである。第１実施形態では、開始シフト量を１に設定した後（Ｓ３）、計算対象電源台数Ｍを１に設定しているが（Ｓ４）、本実施形態では、計算対象電源台数Ｍを１に設定した後（Ｓ２３）、開始シフト量を１に設定する（Ｓ２４）。
【００５９】
ステップＳ２４の処理を行った処理部１１は、充放電サイクルの各時間および使用電力と電源装置３０毎に現在設定されている開始シフト量から、Ｍ台の電源装置３０に対して各開始シフト量に応じて充放電サイクルを実行させた場合における各単位時間当たりの合計電力を計算する（Ｓ２５）。ステップＳ２５の処理は、本発明の第１処理および第１ステップに相当する。
【００６０】
また、予想最大使用電力が目標最大使用電力以下の場合（Ｓ２６で「はい」）、処理部１１は、Ｍ台目の電源装置３０に対して、開始シフト量に応じた充放電指示を出力する（Ｓ２８）。ステップＳ２８の処理は、本発明の第３処理および第３ステップに相当する。
【００６１】
次いで、処理部１１は、計算対象電源台数Ｍが電源台数Ｎ以上か否かの判定を行う（Ｓ２９）。Ｍが電源台数Ｎに達した場合（Ｓ２９で「はい」）、処理部１１は、統括制御を終了する（Ｓ３３）。一方、Ｍが電源台数Ｎに達していない場合（Ｓ２９で「いいえ」）、処理部１１は、ＭをＭ＋１に設定し（Ｓ３０）、開始シフト量を１に設定して（Ｓ２４）、ステップＳ２５の処理を行う。
【００６２】
また、ステップＳ２６で「いいえ」の場合、ステップＳ２７（本発明の第２処理および第２ステップに相当）において開始シフト量に１を加算した新たな開始シフト量を設定した処理部１１は、新たな開始シフト量が充放電サイクルの単位時間数（図３の場合は、８）を超えるか否かの判定を行う（Ｓ３１）。新たな開始シフト量が充放電サイクルの単位時間数を超える場合（Ｓ３１で「はい」）、処理部１１は、現在の設定（新たな開始シフト量）では処理不可な旨を指示表示部１２に表示して（Ｓ３２）、統括制御を終了する（Ｓ３３）。一方、新たな開始シフト量が充放電サイクルの単位時間数以下の場合（Ｓ３１で「いいえ」）、処理部１１は、新たな開始シフト量でステップＳ２５の処理を行う。
【００６３】
結局、本実施形態に係る統括制御方法によれば、Ｎ台の電源装置３０に対して電源装置３０毎に設定した開始シフト量で充放電指示を順次出力する。したがって、本実施形態に係る統括制御方法によれば、Ｎ台の電源装置３０がそれぞれの充放電指示に応じた充放電サイクルを実行した場合における最大使用電力を目標最大使用電力以下にすることができ、さらに、一定の開始シフト量で充放電指示を出力する第１実施形態の場合と比べて、充放電試験時間を短縮することができる。
【００６４】
［第３実施形態］
（充放電電源システム）
次に、本発明の第３実施形態に係る充放電電源システムについて説明する。本実施形態に係る充放電電源システムは、図１に示す充放電電源システム３と同じ構成であるため、説明を一部省略する。
【００６５】
本実施形態では、充放電サイクルが、少なくとも１個の充電サブサイクルと、少なくとも１個の放電サブサイクルとを含むＬ個のサブサイクル（Ｌは、２以上の整数）からなるものとする。
【００６６】
また本実施形態では、処理部１１は、開始シフト量を電源装置３０毎かつサブサイクル毎に設定しており、第１処理において、充放電サイクルにＫ個目（Ｋは、１以上Ｌ以下の整数）までのサブサイクルが含まれるものとして各単位時間当たりの合計電力を計算し、第２処理において、Ｍ台目の電源装置３０におけるＫ個目のサブサイクルの開始シフト量を増加させ、第３処理において、電源装置３０毎かつサブサイクル毎に設定された開始シフト量に応じて充放電指示を出力する。
【００６７】
結局、本実施形態に係る充放電電源システム３によれば、Ｎ台の電源装置３０に対して、電源装置３０毎かつサブサイクル毎に設定された開始シフト量で充放電指示を出力するので、充放電サイクル毎に設定された開始シフト量で充放電指示を出力する第１実施形態および第２実施形態の場合と比べて、充放電試験時間を短縮することができる。
【００６８】
図１１に、本実施形態における充放電サイクルの一例を示す。この充放電サイクルは、２個の充電サブサイクルと１個の放電サブサイクルとを含む合計３個のサブサイクルからなる。時間１〜３が１個目のサブサイクル（充電サブサイクル）、時間４、５が２個目のサブサイクル（放電サブサイクル）、時間６〜８が３個目のサブサイクル（充電サブサイクル）である。
【００６９】
図１２は、本実施形態に係る充放電電源システム３において、電源装置３０の台数を６台とし、電源装置３０毎かつサブサイクル毎に開始シフト量を適宜設定し、図１１に示す充放電サイクルを実行させた場合における使用電力の時間推移を示す図および表である。
【００７０】
図１２では、目標最大使用電力が１０に設定されている。処理部１１は、１台目の電源装置３０に対してサブサイクル毎の開始シフト量を初期値（本実施形態では、０）に設定して充放電指示を出力し、２台目以降順次単位時間当たりの合計電力を計算する。３台目および４台目の電源装置３０に対する合計電力を計算する時点で、時間２の予想最大使用電力が１個目のサブサイクルの開始シフト量を０、１とした場合に目標最大使用電力１０を超えるため、処理部１１は、３台目および４台目の電源装置３０に対して、１個目のサブサイクルの開始シフト量を２に設定する。また、時間８の予想最大使用電力が目標最大使用電力１０を超えるため、処理部１１は、３台目および４台目の電源装置３０に対して、３個目のサブサイクルの開始シフト量を１に設定する。同様に、５台目の電源装置３０に対する合計電力を計算する時点で、時間１０、１１の予想最大使用電力が目標最大使用電力１０を超えるため、処理部１１は、５台目の電源装置３０に対して、３個目のサブサイクルの開始シフト量を３に設定する。さらに、６台目の電源装置３０に対する合計電力を計算する時点で、時間１０、１１の予想最大使用電力が目標最大使用電力１０を超えるため、処理部１１は、６台目の電源装置３０に対して、３個目のサブサイクルの開始シフト量を２に設定する。
【００７１】
６台の電源装置３０に同時に充放電サイクルを実行させた場合は最大使用電力が３０（＝最大使用電力５×６）となるが、図１２に示すように、電源装置３０毎かつサブサイクル毎に開始シフト量を適宜設定することで、最大使用電力は１０以下に抑制されることが分かる。
【００７２】
（統括制御方法）
続いて、本発明の第３実施形態に係る統括制御方法について、図１３および図１４を参照して説明する。
【００７３】
本実施形態の統括制御方法におけるステップＳ４１、Ｓ４２の処理は、第２実施形態の統括制御方法におけるステップＳ２１、Ｓ２２の処理と同じである。
【００７４】
ステップＳ４２の処理を行った処理部１１は、計算対象電源台数Ｍを初期値に設定し、サブサイクル数Ｋ（Ｋは、１以上Ｌ以下の整数）を初期値に設定する（Ｓ４３）。本実施形態では、Ｍの初期値を１とし、サブサイクル数Ｋの初期値を１、最大値をＬとする。
【００７５】
次いで、処理部１１は、Ｋ個目のサブサイクルの開始シフト量を初期値（本実施形態では、０）に設定し（Ｓ４４）、充放電サイクルの各時間および使用電力と、電源装置３０毎かつサブサイクル毎に設定されている現在の開始シフト量から、Ｍ台の電源装置３０に対して、現在の開始シフト量でＫ個目までのサブサイクルを含む充放電サイクルを実行させた場合における各単位時間当たりの合計電力を計算する（Ｓ４５）。ここで、Ｍ台の電源装置３０に対して、Ｋ個目までのサブサイクルを含む充放電サイクルを実行させるとは、Ｍが２以上の場合、Ｍ−１台目までの電源装置３０に対して、全サブサイクル（Ｌ個のサブサイクル）を含む充放電サイクルを実行させ、かつＭ台目の電源装置３０に対して、Ｋ個目までのサブサイクルだけを含む充放電サイクルを実行させることをいい、Ｍが１の場合、１台目の電源装置３０に対して、Ｋ個目までのサブサイクルだけを含む充放電サイクルを実行させることをいう。ステップＳ４５の処理は、本発明の第１処理および第１ステップに相当する。
【００７６】
次いで、処理部１１は、予想最大使用電力が目標最大使用電力以下か否かの判定を行う（Ｓ４６）。予想最大使用電力が目標最大使用電力よりも大きい場合（Ｓ４６で「いいえ」）、処理部１１は、Ｋ個目のサブサイクルの開始シフト量に１を加算した新たな開始シフト量を設定する（Ｓ４７）。ステップＳ４７の処理は、本発明の第２処理および第２ステップに相当する。一方、予想最大使用電力が目標最大使用電力以下の場合（Ｓ４６で「はい」）、Ｋ個目のサブサイクルの開始シフト量を記憶部１３に格納（一時記憶）する（Ｓ４８）。
【００７７】
次いで、処理部１１は、サブサイクル数Ｋが全サブサイクル数Ｌ以上か否かの判定を行う（Ｓ４９）。サブサイクル数Ｋが全サブサイクル数Ｌよりも小さい場合（Ｓ４９で「いいえ」）、サブサイクル数ＫをＫ＋１に設定して（Ｓ５０）、Ｋ＋１個目のサブサイクルの開始シフト量を０に設定する（Ｓ４４）。一方、サブサイクル数Ｋが全サブサイクル数Ｌに達した場合（Ｓ４９で「はい」）、一時記憶した各サブサイクルの開始シフト量でＭ台目の電源装置３０に充放電指示を出力する（Ｓ５３）。ステップＳ５３の処理は、本発明の第３処理および第３ステップに相当する。
【００７８】
ここで、充放電指示を受けたＭ台目の電源装置３０が、各サブサイクルの開始シフト量に応じたタイミングで充放電サイクルに含まれるＬ個のサブサイクルを開始するのであれば、処理部１１は、各サブサイクルの開始シフト量に応じたタイミングでＬ個の充放電指示を出力してもよいし、各サブサイクルの開始シフト量に関する情報を含む１つの充放電指示を出力してもよい。
【００７９】
次いで、処理部１１は、計算対象電源台数Ｍが電源台数Ｎ以上か否かの判定を行う（Ｓ５４）。Ｍが電源台数Ｎに達していない場合（Ｓ５４で「いいえ」）、処理部１１は、ＭをＭ＋１に設定し（Ｓ５５）、サブサイクル数Ｋを１に設定し、１個目のサブサイクルの開始シフト量を０に設定した上で（Ｓ４４）、電源装置Ｍ＋１台で１個目のサブサイクルを実行させた場合における各単位時間当たりの合計電力を計算する（Ｓ４５）。一方、ＭがＮに達した場合（Ｓ５４で「はい」）、処理部１１は、統括制御を終了する（Ｓ５６）。
【００８０】
また、ステップＳ４７においてＫ個目のサブサイクルの開始シフト量に１を加算した新たな開始シフト量を設定した処理部１１は、新たな開始シフト量が充放電サイクルの単位時間数（図１１の場合は、８）を超えるか否かの判定を行う（Ｓ５１）。新たな開始シフト量が充放電サイクルの単位時間数を超える場合（Ｓ５１で「はい」）、処理部１１は、現在の設定（新たな開始シフト量）では処理不可な旨を指示表示部１２に表示して（Ｓ５２）、統括制御を終了する（Ｓ５６）。一方、新たな開始シフト量が充放電サイクルの単位時間数以下の場合（Ｓ５１で「いいえ」）、処理部１１は、新たな開始シフト量でステップＳ４５の処理を行う。
【００８１】
結局、本実施形態に係る統括制御方法によれば、Ｎ台の電源装置３０に対して、電源装置３０毎かつサブサイクル毎に設定した開始シフト量で充放電指示を出力するので、最大使用電力を一定値（目標最大使用電力）以下に抑えることができ、さらに、充放電サイクル毎に設定された開始シフト量で充放電指示を出力する第１実施形態および第２実施形態の場合と比べて、充放電試験時間を短縮することができる。
【００８２】
［第４実施形態］
（充放電電源システム）
次に、本発明の第４実施形態に係る充放電電源システムについて説明する。本実施形態に係る充放電電源システムは、図１に示す充放電電源システム３と同じ構成であるため、説明を一部省略する。
【００８３】
第１〜第３実施形態では、開始シフト単位を処理部１１が指示表示部１２または記憶部１３から読み込み、固定値として扱ったが、本実施形態では、処理部１１は、予想最大使用電力が目標最大使用電力を超える場合に、開始シフト量と充放電サイクルの時間との関係に応じて、開始シフト単位を一定の範囲内で変化させる。
【００８４】
図１５は、図３に示す充放電サイクルの開始シフト単位を１／２にした充放電サイクルである。この充放電サイクルの単位時間は、充放電サイクルにかかる時間を１６等分したものである。図１６は、充放電電源システム３において、電源装置３０の台数を１０台とし、開始シフト量を均一に１（時間０．５）として、図１５に示す充放電サイクルを実行させた場合における使用電力の時間推移を示す図および表である。図１６では、図４と比較すると、最大使用電力が２０から２６に増えているが、充放電試験時間は短縮されていることが分かる。すなわち、本実施形態に係る充放電電源システム３によれば、開始シフト単位を変化させることで、最大使用電力を一定値（目標最大使用電力）以下に抑えることができ、さらに充放電試験時間を短縮することができる。
【００８５】
（統括制御方法）
続いて、本発明の第４実施形態に係る統括制御方法について、図１７および図１８を参照して説明する。
【００８６】
本実施形態の統括制御方法では、第１実施形態の統括制御方法において、ステップＳ２の処理の代わりにステップＳ６１、Ｓ６２の処理を行い、ステップＳ１１とステップＳ１２の間でステップＳ６３、Ｓ６４の処理を行う。
【００８７】
処理部１１は、ステップＳ１の後に、充放電サイクル、目標最大使用電力、対象チャネル数、開始シフト単位に加えて、開始シフト単位の初期値および上限値に関する情報を読み込み（Ｓ６１）、開始シフト単位を初期値に設定する（Ｓ６２）。
【００８８】
また、処理部１１は、ステップＳ７の処理で設定した新たな開始シフト量が充放電サイクルの単位時間数を超える場合に（Ｓ１１で「はい」）、開始シフト単位を増加させ（Ｓ６３）、増加させた開始シフト単位が上限値を超えるか否かの判断を行う（Ｓ６４）。
【００８９】
増加させた開始シフト単位が上限値以内の場合（Ｓ６４で「いいえ」）、処理部１１は、計算対象電源台数Ｍを１に設定し（Ｓ４）、増加させた開始シフト単位でステップＳ５の処理を行う。一方、増加させた開始シフト単位が上限値を超える場合（Ｓ６４で「はい」）、処理部１１は、現在の設定（増加させた開始シフト単位）では処理不可な旨を指示表示部１２に表示して（Ｓ１２）、統括制御を終了する（Ｓ１３）。
【００９０】
結局、本実施形態に係る統括制御方法によれば、開始シフト単位を変化させることで、最大使用電力を一定値（目標最大使用電力）以下に抑えることができ、さらに充放電試験時間を大幅に短縮することができる。
【００９１】
以上、本発明に係る充放電電源システムおよび統括制御方法の各実施形態について説明したが、本発明は上記各実施形態に限定されるものではない。
【００９２】
電源装置３０は、統括制御部１０の充放電指示に基づいて二次電池４の充放電サイクルを実行するのであれば、その構成は適宜変更することができる。例えば、ＤＣ／ＤＣ電源部３２とＡＣ／ＤＣ電源部３１間に蓄電池を設け、二次電池４の放電時にＤＣ／ＤＣ電源部３２からの回生電力を蓄電池に一時的に蓄え、二次電池４の充電時に蓄電池の電力をＤＣ／ＤＣ電源部３２から二次電池４に出力することができる。これにより、ＡＣ／ＤＣ電源部３１のＤＣ／ＡＣ変換動作に伴う電力損失（回生ロス）を低減することができる。また、ＡＣ／ＤＣ電源部３１を、ＡＣ／ＤＣ変換動作のみを行う片方向ＡＣ／ＤＣコンバータで構成してもよい。これにより、ＡＣ／ＤＣ電源部３１の小型化を実現することができる。
【００９３】
統括制御部１０は、充放電サイクルの開始時間を遅らせるための開始シフト量が設定されており、少なくとも第１処理、第２処理および第３処理を行うのであれば、その構成を適宜変更することができる。例えば、統括制御部１０は、開始シフト単位を変化させるとともに、電源装置３０毎に設定した開始シフト量で充放電指示を出力するよう構成してもよいし、開始シフト単位を変化させるとともに、電源装置３０毎かつサブサイクル毎に設定した開始シフト量で充放電指示を出力するよう構成してもよい。
【００９４】
統括制御部１０は、開始シフト量の初期値、開始シフト単位の初期値および上限値を適宜設定することができる。
【００９５】
上記各実施形態では、電源装置３０単位で充放電サイクルの開始時間を遅らせているが、さらにＤＣ／ＤＣ電源部３２単位で充放電サイクルの開始時間を遅らせてもよい。
【符号の説明】
【００９６】
１    商用電源
２    高圧充電設備
３    充放電電源システム
４    二次電池
１０    統括制御部
１１    処理部
１２    指示表示部
１３    記憶部
１４    通信部
３０    電源装置
３１    ＡＣ／ＤＣ電源部
３２    ＤＣ／ＤＣ電源部
３３    制御部
【図１】
0006384920.tif 000002
【図２】
0006384920.tif 000003
【図３】
0006384920.tif 000004
【図４】
0006384920.tif 000005
【図５】
0006384920.tif 000006
【図６】
0006384920.tif 000007
【図７】
0006384920.tif 000008
【図８】
0006384920.tif 000009
【図９】
0006384920.tif 000010
【図１０】
0006384920.tif 000011
【図１１】
0006384920.tif 000012
【図１２】
0006384920.tif 000013
【図１３】
0006384920.tif 000014
【図１４】
0006384920.tif 000015
【図１５】
0006384920.tif 000016
【図１６】
0006384920.tif 000017
【図１７】
0006384920.tif 000018
【図１８】
0006384920.tif 000019